(57)【要約】【課題】  着用者の身体に的確かつ迅速に装着できる胴衣を提供すること。【解決手段】  前身頃体１０の前身主体部１２には第１止着部材１６ｍ，１６ｎが設けられており、後身頃体３０の後身装着部３４ａ，３４ｂには前記第１止着部材１６ｍ，１６ｎと止着する第２止着部材３４ｍ，３４ｎが設けられており、更に、前記後身装着部３４ａ，３４ｂの第２の面には、前記後身装着部３４ａ，３４ｂを前記前身主体部１２の前記表面に対向させて止着する操作する際に着用者１の手の指を引っ掛けることにより前記後身装着部３４ａ，３４ｂを操作する引き掛け部５１が設けられている。【選択図】  図２
2010126855.tif 000002
【特許請求の範囲】
【請求項１】
着用者に装着する前身頃体及び後身頃体を含む胴衣において、
前記前身頃体は、前記着用者の胸面・腹面に対向させる前身主体部を有し、
前記後身頃体は前記着用者の背面に対向させる後身主体部と、前記前身主体部の表面に対向するように前記後身主体部から延びている一対の後身装着部とを有し、
前記前身主体部の表面には、第１止着部材が設けられており、
前記後身装着部には、前記後身装着部を前記前身主体部へ巻きつけるようにして前記前身主体部の前記表面に対向させた際に前記第１止着部材と止着するよう前記後身装着部の第１の面に第２止着部材が設けられており、
更に、前記第２止着部材を設けた前記後身装着部の前記第１の面と対向する第２の面には、前記後身装着部を前記前身主体部の前記表面に対向させて止着する操作又は前記後身装着部を前記前身主体部から取り外し操作する際に前記着用者の手の指を引っ掛けることにより前記後身装着部を操作する引き掛け部が設けられていることを特徴とする胴衣。
【請求項２】
請求項１記載の胴衣において、前記引き掛け部は、前記後身装着部を構成している２枚の基材により前記着用者の少なくとも親指が入り込む大きさに形成されているポケット部であることを特徴とする胴衣。
【請求項３】
請求項１記載の胴衣において、前記引き掛け部は、前記第２の面に結合したループ状の帯部材と、該帯状部材に保持したリング部材とからなることを特徴とする胴衣。
【請求項４】
請求項１記載の胴衣において、前記引き掛け部は、前記第２の面に両端部を結合した帯部材であることを特徴とする胴衣。
【発明の詳細な説明】
【技術分野】
【０００１】
本発明は、着用者に装着する胴衣に関する。
【背景技術】
【０００２】
関連技術としては、着用者の胸面・腹面に装着させる前身頃体と、前記着用者の背面に装着させる後身頃体とを備えている胴衣が知られている（例えば、特許文献１を参照）。
【０００３】
この胴衣では、着用者に装着する際に、着用者の胸面・腹面・胸面に前身頃体を対応させ、着用者の背面に後身頃体を対応させる。そして、後身頃体から延びている一対の後身装着部に設けられている止着部材と前身頃体に設けられている止着部材とを止着することによって前身頃体と後身頃体とを着用者に装着するようにしている。
【０００４】
【特許文献１】特開２００６−１４４１７０号公報
【発明の開示】
【発明が解決しようとする課題】
【０００５】
しかしながら、特許文献１の胴衣では、着用者の手の指によって一対の後身装着部を掴み、前身頃体に巻きつけるようにして一対の後身装着部を前身頃体に装着するので、一対の後身装着部を前身頃体にまでで引き寄せるために大きな力を必要とすることから、容易に装着ができないという問題がある。
【０００６】
また、着用者が手に手袋をしている場合には、手袋の指部により後身装着部を掴もうとすると、滑りやすく掴み難くなり、大きな指及び腕の力を必要とすることから、後身装着部を前身頃体に装着することが困難となるという問題がある。
【０００７】
また、着用者が手に手袋をしている場合には、指により後身装着部を掴み難くなるので、前身頃体から後身装着部を取り外す操作も作業も困難なものとなる。
【０００８】
したがって、着用者は、特に緊急時の行動において、迅速に胴衣の装着することが出来ないという問題がある。
【０００９】
それ故に、本発明の課題は、着用者の身体に的確かつ迅速に装着でき、迅速に取り外すことができる胴衣を提供することにある。
【課題を解決するための手段】
【００１０】
本発明の実施の態様においては、着用者に装着する前身頃体及び後身頃体を含む胴衣において、前記前身頃体は、前記着用者の胸面・腹面に対向させる前身主体部を有し、前記後身頃体は前記着用者の背面に対向させる後身主体部と、前記前身主体部の表面に対向するように前記後身主体部から延びている一対の後身装着部とを有し、前記前身主体部の表面には、第１止着部材が設けられており、前記後身装着部には、前記後身装着部を前記前身主体部へ巻きつけるようにして前記前身主体部の前記表面に対向させた際に前記第１止着部材と止着するよう前記後身装着部の第１の面に第２止着部材が設けられており、更に、前記第２止着部材を設けた前記後身装着部の前記第１の面と対向する第２の面には、前記後身装着部を前記前身主体部の前記表面に対向させて止着する操作又は前記後身装着部を前記前身主体部から取り外し操作する際に前記着用者の手の指を引っ掛けることにより前記後身装着部を操作する引き掛け部が設けられていることを特徴とする胴衣が得られる。
【発明の効果】
【００１１】
本発明の実施の態様に係る胴衣によれば、着用者が胴衣を装着・取り外すときに引き掛け部に挿入して引っ掛け操作することによって、着用者の身体に的確かつ迅速に装着でき、迅速に取り外すことができるという利点がある。
【発明を実施するための最良の形態】
【００１２】
図１は、本発明に係る胴衣の一実施の形態例を示している。図１を参照して、胴衣は、着用者１の胸面・腹面に対向させて装着する前身頃体１０と、着用者１の背面に対向させて装着する後身頃体３０とを備えている。
【００１３】
前身頃体１０は着用者１が着用したときに、着用者１の胸面・腹面に対向する前身主体部１２と、着用者１の肩面にそれぞれ対向させるように前身主体部１２の上部から延びている一対の前身肩部１４ａとを有している。
【００１４】
着用者１の腹面に対向する前身主体部１２の表面には、一対の前身連結部１６ａ，１６ｂが設けられている。前身連結部１６ａ，１６ｂの表面には、止着・取り外しが可能な止着部材１６ｍ，１６ｎ（第１止着部材）が設けられている。
【００１５】
さらに、着用者１の腹面に対応する部分における前身主体部１２の表面には、上部が前身主体部１２の上部に接続されている前掛け部１２ａが前身主体部１２の表面を開閉可能になすように設けられている。
【００１６】
前身主体部１２の表面の下方側には、帯状の止着部材１２ｍが設けられている。一方、前掛け部１２ａの内側面には、止着部材１２ｍと止着・取り外しが可能な止着部材１２ｎが設けられている。
【００１７】
したがって、前掛け部１２ａは、前身主体部１２に対向させた際に、内側面に設けられている止着部材１２ｎによって前身主体部１２の表面に設けられている止着部材１２ｍに止着・取り外しが可能なものである。
【００１８】
なお、前身主体部１２の中央部の内部には、図示しない防護板が設けられている。
【００１９】
図２は、図１に示した胴衣の後身頃体３０を展開して背面から見た状態を示している。図３は後身頃体３０の一部を示す断面図である。図４は図２に示した後身頃体３０を内側から見た状態を示している。
【００２０】
図２乃至図４をも参照して、後身頃体３０は、着用者１が胴衣を着用したときに、着用者１の背面に対応する後身主体部３２と、後身主体部３２の上部から着用者１の肩面のそれぞれに対応させるように後身主体部３２から延びている一対の後身肩部３３ａ，３３ｂとを有している。
【００２１】
さらに、一対の後身肩部３３ａ，３３ｂには、一対の後身肩部３３ａ，３３ｂと一体に一対の肩掛け部３３ｄ，３３ｅが設けられている。一対の肩掛け部３３ｄ，３３ｅは、一対の後身肩部３３ａ，３３ｂ及び一対の前身肩部１４ａの表面を開閉可能に保持する部分である。
【００２２】
また、着用者１の首部の周りに対応する一対の後身肩部３３ａには、略馬蹄形の首襟部３３ｇが一対の後身肩部３３ａ，３３ｂと一体に設けられている。なお、図４に示したように、後身主体部３２の中央部には、防護板３２ａが設けられている。
【００２３】
後身頃体３０は、後身主体部３２の左側縁及び右側縁からそれぞれ延びている一対の後身装着部３４ａ，３４ｂを有している。
【００２４】
一対の後身装着部３４ａ，３４ｂは、前身主体部１２上の腹面に対向するように延びており、一対の前身連結部１６ａ，１６ｂの表面のそれぞれと一対一に着脱可能となっている。後身装着部３４ａ，３４ｂの内側面（（第１の面））のそれぞれには、止着・取り外しが可能な止着部材３４ｍ，３４ｎ（第２の止着部材）が設けられている。
【００２５】
後身装着部３４ａ，３４ｂは、止着部材３４ｍ，３４ｎによって前身連結部１６ａ，１６ｂの表面に設けられている止着部材１６ｍ，１６ｎと着脱可能となっている。
【００２６】
さらに、図２に示したように、後身装着部３４ａ，３４ｂの延在端部における表面（第１の面に対向している第２の面）のそれぞれには、図２及び図３に示したように、引き掛け部５１が形成されている。引き掛け部５１は、後身装着部３４ａ，３４ｂを構成している２枚の基材３４ｘ、３４ｙを重ね合わせ結合糸５３により縫合することによって結合されており、後身装着部３４ａ，３４ｂの端部にポケット部５５を構成している。ポケット部５５は、着用者１の少なくとも親指が入り込む大きさとすることが望ましい。
【００２７】
胴衣を着用者１に装着するには、着用者１の胸面・腹面・胸面に前身頃体１０を対応させ、着用者１の背面に後身頃体３０を対応させた状態で、一対の後身肩部３３ａ，３３ｂと一体となっている一対の肩掛け部３３ｄ，３３ｅによって一対の前身肩部１４ａを囲むように閉じることによって保持する。
【００２８】
その後、後身装着部３４ａ，３４ｂは、一対の前身連結部１６ａ，１６ｂへ巻きつけるように操作して前身連結部１６ａ，１６ｂに装着する。この際、後身装着部３４ａ，３４ｂの引き掛け部５１のポケット部５５には、着用者１の指を挿入し引っ掛け、後身装着部３４ａ，３４ｂを巻きつけるようにして前身連結部１６ａ，１６ｂ側へ引き寄せて装着する。
【００２９】
即ち、後身装着部３４ａ，３４ｂ及び一対の前身連結部１６ａ，１６ｂは、図５に示すように、前身連結部１６ａ，１６ｂの表面に設けられている止着部材１６ｍ，１６ｎと後身装着部３４ａ，３４ｂに設けられている止着部材３４ｍ，３４ｎとが止着する。
【００３０】
このように後身装着部３４ａ，３４ｂと前身連結部１６ａ，１６ｂとを止着部材１６ｍ，１６ｎと止着部材３４ｍ，３４ｎとによって装着することにより、着用者１の身体に的確にかつ迅速に装着できる。
【００３１】
また、装着した後は、後身装着部３４ａ，３４ｂの引き掛け部５１のポケット部５５に着用者１の指を挿入し引っ掛け操作することにより後身装着部３４ａ，３４ｂを迅速に取り外すことができる。
【００３２】
なお、止着部材１２ｍ，１２ｎ、１６ｍ，１６ｎ、３４ｍ，３４ｎは、面ファスナー、スナップ式ファスナー、スナップボタン、ファスナーテープ、スナップテープなどから選択して適宜に利用する。
【００３３】
図６（Ａ）及び図６（Ｂ）は、後身装着部３４ａ，３４ｂの引き掛け部５１とは異なる他の実施の形態例を示している。
【００３４】
図６（Ａ）及び図６（Ｂ）に示した後身装着部３４ａ，３４ｂの引き掛け部６１は、後身装着部３４ａ，３４ｂの表面（第２の面）の端部に帯部材６３をループ状に重ね合わせ結合糸６５により縫合して結合しループ状の帯部材６３と、この帯部材６３に保持したリング部材６６とを有する。
【００３５】
ループ状の帯部材６５には、リング部材６６が通されてリング部材６６が外れないように保持されている。リング部材６６は、樹脂又は金属製とし、着用者１の少なくとも親指が入り込む大きさとすることが望ましい。
【００３６】
この引き掛け部６１においても、後身装着部３４ａ，３４ｂの引き掛け部６１のリング部材６６に着用者１の指を挿入し引っ掛けてから後身装着部３４ａ，３４ｂを巻きつけるようにして前身連結部１６ａ，１６ｂ側に引き寄せることにより前身連結部１６ａ，１６ｂに装着する。
【００３７】
即ち、前身連結部１６ａ，１６ｂの表面に設けられている止着部材１６ｍ，１６ｎと後身装着部３４ａ，３４ｂに設けられている止着部材３４ｍ，３４ｎとを止着する。
【００３８】
このように後身装着部３４ａ，３４ｂと前身連結部１６ａ，１６ｂとを、止着部材１６ｍ，１６ｎと止着部材３４ｍ，３４ｎとによって止着することにより、着用者１の身体に的確かつ迅速に装着できると共に、装着後の後身装着部３４ａ，３４ｂをご迅速に取り外すことができる。
【００３９】
図７（Ａ）及び図７（Ｂ）は、後身装着部３４ａ，３４ｂの引き掛け部５１と異なるさらに他の実施の形態例を示している。
【００４０】
図７（Ａ）及び図７（Ｂ）に示した後身装着部３４ａ，３４ｂの引き掛け部７１は、後身装着部３４ａ，３４ｂの端部に両端部を結合糸７５により縫合した結合されている帯部材７３を有する。
【００４１】
後身装着部３４ａ，３４ｂの表面と帯部材７３の中間部分との隙間は、着用者１の少なくとも親指が入り込む大きさとすることが望ましい。
【００４２】
この引き掛け部７１においても、後身装着部３４ａ，３４ｂの引き掛け部７１に着用者１の指を挿入し引っ掛けて、後身装着部３４ａ，３４ｂを巻きつけるようにして後身装着部３４ａ，３４ｂを引き寄せることにより前身連結部１６ａ，１６ｂへ装着する。
【００４３】
即ち、前身連結部１６ａ，１６ｂの表面に設けられている止着部材１６ｍ，１６ｎと後身装着部３４ａ，３４ｂに設けられている止着部材３４ｍ，３４ｎとを止着する。
【００４４】
このように後身装着部３４ａ，３４ｂと前身連結部１６ａ，１６ｂとを、止着部材１６ｍ，１６ｎと止着部材３４ｍ，３４ｎとによって止着することにより、着用者１の身体に的確にかつ迅速に装着できると共に、装着後の後身装着部３４ａ，３４ｂをご迅速に取り外すことができる。
【００４５】
なお、引き掛け部７１の帯部材７３は、後身装着部３４ａ，３４ｂの端部の耳部に近隣するように大きな外形形状のものであってもよい。
【００４６】
上述した胴衣は、浮力部材を設けた救命胴衣、防刃部材を設けた防刃胴衣、もしくは防弾部材を設けた防護胴衣として適用できる。
【図面の簡単な説明】
【００４７】
【図１】本発明に係る胴衣の一実施の形態例を示し、胴衣を着用する前の状態を示す斜視図である。
【図２】図１の胴衣の後身頃体を裏面で展開した状態を示す背面図である。
【図３】図１の胴衣の後身装着部の一部を断面して示した図２のIII-III線断面図である。
【図４】図２の胴衣の後身頃体を内側面で展開した状態を示す背面図である。
【図５】図１に示した胴衣を着用者が装着した状態を示す斜視図である。
【図６】図１に示した胴衣の後身装着部における引き掛け部の他の実施の形態例を示しており、（Ａ）は一方側の後身装着部の平面図、（Ｂ）は（Ａ）の正面図である。
【図７】図１に示した胴衣の後身装着部における引き掛け部のさらに他の実施の形態例を示しており、（Ａ）は一方側の後身装着部の平面図、（Ｂ）は（Ａ）のVI-VI線断面図である。
【符号の説明】
【００４８】
１    着用者
１０    前身頃体
１２    前身主体部
１２ａ    前掛け部
１２ｍ，１２ｎ，１６ｍ，１６ｎ，３４ｍ，３４ｎ    止着部材
１４ａ    前身肩部
１６ａ，１６ｂ    前身連結部
３０    後身頃体
３２    後身主体部
３３ａ，３３ｂ    後身肩部
３４ａ，３４ｂ    後身装着部
３３ｄ，３３ｅ    肩掛け部
３３ｇ    首襟部
３４ｘ、３４ｙ    基材
６５，７５    結合糸
５１，６１，７１    引き掛け部
５５    ポケット部
６３、７３    帯部材
６６    リング部材
【図１】
2010126855.tif 000003
【図２】
2010126855.tif 000004
【図３】
2010126855.tif 000005
【図４】
2010126855.tif 000006
【図５】
2010126855.tif 000007
【図６】
2010126855.tif 000008
【図７】
2010126855.tif 000009